(57)【要約】本発明は、治療目的で液体活性素を注入するための無針注射器の分野に関する。本発明は、活性素（１，１０）が、皮膚と接触している少なくとも注入管（３，２３）を含む注入器（２，２２）と、活性素を加圧し、かつ噴出させる推進剤発生器（７，２７）の気体によって移動される押し込み手段（５，２５）から分離された可動壁（４，２４）との間に最初に置かれている、注射器に関する。該注射器は、皮膚を有効に貫通し、バイオアベイラビリティを改善するために、高速噴出速度の液体を速やかに提供することを目的とする。該注射器は、該押し込み手段（５，２５）が、推進剤発生器（７，２７）の操作により効果を取り除かれる一時保持装置（６，２６）を含むことを特徴とする。
2004511259.tif 000002
【特許請求の範囲】
【請求項１】
液体活性素（１，１０）の注入のための無針注射器であって、該液体活性素は、一方には、皮膚と接触して置かれる、少なくとも１つの注入導管（３，２３）を含む注入器（２，２２）と、他方には、気体発生器（７，２７）からの気体によって移動し、注射器の下流端に置かれる注入器を通して活性素の加圧および放出を保証する押し込み手段（５，２５）から分離されている、移動し得る壁（４，２４）との間に最初は置かれており、該押し込み手段（５，２５）は、引金部材（７８）により開始される気体発生器（７，２７）の機能により効果を取り除かれる一時的保持装置（６，２６）を含むことを特徴とする無針注射器。
【請求項２】
該一時的保持装置（６，２６）が壊れやすく較正された装置である請求項１記載の無針注射器。
【請求項３】
押し込み手段（５，２５）の移動し得る壁（４，２４）から分離されている最初の距離が、壊れやすい一時的保持装置（６，２６）の破壊前の最大変形より大きい請求項２記載の無針注射器。
【請求項４】
押し込み手段（５，２５）の移動し得る壁（４，２４）から分離されている最初の距離が、押し込み手段の直径の約１０分の１より小さい請求項２または３記載の無針注射器。
【請求項５】
気体発生器（７，２７）が花工術の気体発生器である請求項１〜４のいずれか１項記載の無針注射器。
【請求項６】
一時的保持装置（６，２６）が、特にピンおよび保護キャップを含む群より選択される請求項１〜５のいずれか１項記載の無針注射器。
【請求項７】
押し込み手段（５，２５）がピストンである請求項１〜４のいずれか１項記載の無針注射器。
【請求項８】
移動し得る壁（４）がデリバリーピストンである請求項１〜７のいずれか１項記載の無針注射器。
【請求項９】
移動し得る壁（２４）が変形可能な膜である請求項１〜７のいずれか１項記載の無針注射器。
【請求項１０】
押し込み手段（２５）の下流面および注入器（２２）の内面が合った形を有する請求項９記載の無針注射器。
【発明の詳細な説明】
【０００１】
本発明は、ヒトまたは獣医の医学における治療上の使用のための液体活性素の皮内、皮下または筋肉内注射のために使用される無針注射器の分野に関する。
【０００２】
無針注射器は、定義により非侵襲性である：活性素を、それが作用すべき場所にもってくるために、皮膚を通過する針がない。無針注射器のためには、開口部または注入導管から出てくる液体活性素の噴射が皮膚を貫通し、所望の注射のタイプに依存して、より大きいかまたはより小さい深さに浸透することが必要であり、そうするために、噴射は高速を有していなければならない。噴射が遅すぎると、皮膚を貫通せず、液体は皮膚の表面で広がり、治療効果を生じないので失われる。
【０００３】
ほとんどの注射器においては、注射器によって液体活性素を放出するための装置は一般にピストンタイプまたは変形できる膜タイプの、移動し得る壁であり、これは、皮膚を貫通するための高速噴射を直ちに生じるために、大きく加速されて速やかに移動するかまたは変形されなければならない。
【０００４】
米国特許第２，３２２，２４５号において、ロックハート（Ｌｏｃｋｈａｒｔ）は、移動し得る壁が圧縮された機械的スプリングによって、または圧縮された保留気体によって移動するかまたは押しやられる無針注射器を記載する。この駆動装置は、それから比較的長い距離に配置されたデリバリーピストンをたたく棒に直接作用する；棒は、スプリングの解放によってこの距離にわたって加速され、デリバリーピストンをたたき、それを動くようにし、素早く移動して、非常に細い導管を通って活性素を霧化し、噴射させる。
【０００５】
対比すると、同じ特許に記載されている花工術（ｐｙｒｏｔｅｃｈｎｉｑｕｅ）駆動を有する注射器については、中間の衝撃棒を用いることなく、花工術装入物がデリバリーピストンに直接作用する。
【０００６】
もっと最近では、無針注射器に関する特許出願ＷＯ９５／０３８４４号が再び、デリバリーピストンに作用する衝撃棒の基本的に同じ技術を取り上げる。衝撃棒は、機械的スプリングまたは圧縮保留気体によって駆動される。駆動装置は、高エネルギー状態にあり、それによってスプリングの解放または圧縮気体の放出を防ぐ錠によって保持される衝撃棒に直接作用する。使用前の全貯蔵期間中、棒および錠は、大きくプレストレスを与えられる。
【０００７】
直接またはカムによって該錠が開かれると、衝撃棒および貯蔵エネルギーが解放され、これが可動の構成要素を移動させ、液体を注入する。系は、注入の終わりに、高エネルギーレベルから低エネルギーレベルへと変化する。使い捨て注射器については、初期状態へ戻ることは不可能である。数回使用される注射器は、スプリングを再圧縮し、液体活性素の貯蔵器を再充填または交換するための補助装置を含む。
【０００８】
これらの装置は、幾つかの欠点を有する。これらの装置によって得られるバイオアベイラビリティは、完全には満足のいくものではない。バイオアベイラビリティは、注射器の貯蔵器を最初に満たす量に対しての実際に注入される液体の量によって限定される。
【０００９】
これらの装置は、衝撃棒の加速のために比較的長い移動進路を可能にするのに十分大きいことが必要であるので、扱い難く重い。さらに、使用前のかなりの時間高レベルのエネルギーを貯えるために備えられたスプリングまたは圧縮気体のモータは、構造的に非常に重い。その上、これらの装置は、信頼性に関して問題を有する。長期貯蔵の場合には、最大範囲まで圧縮されたスプリングは劣化し、圧縮気体供給物は漏れやすく、高度にプレストレスを与えられた錠も操作が困難になり得る。全ての場合に、これらの装置は、記載した信頼性の問題を改善する試みにおいて大きすぎ（ｓｕｒｄｉｍｅｎｓｉｏｎｎｅｓ）、したがって、少々取扱い難く、少々重い。
【００１０】
本発明の目的は、液体の加速の状態を改善することによって活性素のバイオアベイラビリティを向上させること、およびまたより小型で信頼性のある利用可能な装置を作ることである。
【００１１】
本発明は、液体活性素の注入のための無針注射器であって、該液体活性素は、一方には、少なくとも１つの注入導管を含み、治療されるべき対象の皮膚と接触して、または皮膚にすぐ接近して置かれる注入器と、他方には、気体発生器からの気体によって移動し、注射器の下流端に置かれる注入器を通して液体活性素の加圧および放出を保証する押し込み手段から最初は分離されている移動し得る壁との間に最初は置かれており、該無針注射器は、該押し込み手段が、引金部材により開始される気体発生器の機能により効果を取り除かれる一時的保持装置を含むようにされている、該無針注射器に関する。
【００１２】
押し込み手段は、最初は、以下で説明する方法で決定される短い距離だけ、移動し得る壁から分離されている。気体発生器の機能は一時的保持手段の効果を取り除き、押し込み手段を突然移動させて、移動し得る壁と接触させ、それによって液体の非常に急速な加圧および高速での注入を保証する。より正確には、作業者は、気体発生器の機能の引金を引く部材に働きかけ、気体発生器は押し込み手段に働きかけ、そのようにして、該押し込み手段の一時的保持装置の効果を取り除く。それに比べて、従来技術の装置では、作業者は、装置の機能に必要なエネルギーを放出するために、（直接または間接に）保持装置である錠に働きかける。
【００１３】
本発明においては、液体活性素は、本質的に幾分粘稠な液体または液体混合物またはゲルとして理解される。活性素は、適当な液体中の多少濃縮された懸濁液中の粉末の形態での固体であることができる。固体および微粉活性素の粒度分析は、導管の形が適合されなければならないので、導管の閉塞を避けるように適合されなければならない。
【００１４】
この注射器について有利には、一時的保持装置は壊れやすく、気体発生器が機能すると壊される。該一時的保持系は較正される。すなわち、壊れやすい一時的保持装置の破壊は、高速で動く液体噴射を非常に急速に得るために、特に活性素および使用条件に依存して、押し込み手段が、発生器からの気体の効果によって、与えられた力に供されたときにのみ生じる。
【００１５】
この注射器において好ましくは、押し込み手段の移動し得る壁から分離されている最初の距離は、一時的保持装置の破壊前の最大変形より大きい。この状態を観察することによって、押し込み手段は、一時的保持装置の変形により、移動し得る壁と接触しない、したがって、壊れやすい一時的保持装置の変形中に非常に低速で放出される液体はない。
【００１６】
押し込み手段の移動し得る壁から分離されている最初の距離は、有利には、注射器の大きさを制限するために、小さいままである。該距離は、最大で、壊れやすい一時的保持装置に作用する力を決定する押し込み手段の顕著な寸法の大きさのオーダーを有する。例えば、該距離は、押し込み手段の直径または当直径の約１０分の１より小さいままである。
【００１７】
注射器を駆動する気体発生器は好ましくは、花工術の気体発生器である。このタイプの気体発生器は、機能する前に、固体あるいは粉末形態での花工術の装入物、該装入物の燃焼を開始するための装置、および該開始装置の引金を引くための部材を含む。圧縮スプリングの場合と逆に、引金部材はいかなるプレストレスにも供されない。
【００１８】
一時的保持装置は有利には、ピン（簡単な取ることができるピンまたは弱くされた領域を有するピン）、壊れやすい鋲、押し込み手段が円形なら円形にはずされる、とれやすい保護キャップ、とれやすいフランジを含む群より選択される。
【００１９】
一時的保持装置はまた、有利には、１端が押し込み手段に固定され、他端が気体発生器側の適当な装置に固定される軸棒であることができる。この軸棒の破壊は、伸びによって起こり；この破壊は、棒の適当に弱くされた領域によって制御し得る。
【００２０】
壊れやすい一時的保持装置の機能を満たすために、ある要素、例えば、該装置が押し込み手段に施用される実質的な所定の応力に供されるときに、変形される留金または移動されるつめを有する装置の変形または移動によって効果を取り除かれる保持装置を使用することが可能である。
【００２１】
押し込み手段はまた、有利には、装置の大きさを制限するために、ピストンである。このピストンは、封止装置、例えばＯ−リングシールを含んで、その正しい機能を保証し、かつ活性素貯蔵器への気体の漏れを避ける。
【００２２】
第１の実施態様においては、移動し得る壁がまたピストンであり、第２のレベルの封止を形成するための封止装置を有するデリバリーピストンである。押し込み手段および移動し得る壁のために適当な材料を選択することによって、２つの構成要素の衝撃の力をある程度まで制御することが可能である。
【００２３】
この実施態様においては、押し込み手段を構成するピストンおよびデリバリーピストンは、等しいかまたは異なる直径を有する。しかしながら、押し込み手段がデリバリーピストンより大きい直径を有するときには、該押し込み手段は、その下流部分に、直径が最大でデリバリーピストンに等しい突出し部分を有し、この突出し部分の長さは押し込み手段の移動の過程より大きい。
【００２４】
第２の実施態様においては、移動し得る壁は変形可能な膜である。この膜は好ましくは薄く、金属またはエラストマーまたはプラスチック材料でできており、これらの材料は、活性素と適合性である。該膜の注射器への固定は、その封止を確実にする。この固定は、例えばはさむ（ｐｉｎｃｅｍｅｎｔ）か、嵌め込む（ｓｅｒｔｉｓｓａｇｅ）か、または型再複製（ｓｕｒｍｏｕｌａｇｅ）によって達成することができる。
【００２５】
この実施態様においては、押し込み手段の下流面は、活性素貯蔵器を完全に空にするために、注入の終わりに、変形した膜が押し込み手段の下流面と注入器の内面との間にはさまれるように、注入器の内面上に変形可能な膜を押しつけ、変形するのに適合される形を有する。押し込み手段の下流面および注入器の内面は合う形を有することに留意する。
【００２６】
花工術の気体発生器および壊れやすい一時的保持装置を用いて利用可能な動力のために、皮膚に穴をあけるために高速噴射が非常に速く得られ、かくして活性素のバイオアベイラビリティが改善される。
【００２７】
注射器の大きさおよび質量は、移動し得る壁に対する押し込み手段の排除の制限によって減少する。花工術の気体発生器が小型になることがさらにこの効果に加わる。
【００２８】
最後に、花工術の気体発生器の信頼性は、特に組立てと使用との間の状態中ずっと優れており、花工術の気体発生器の要素はプレストレスに供されない。
この注射器の別の利点は、押し込み手段および移動し得る壁の分離に関連し、注射器において２つのサブアセンブリ間で区別を付けることが可能である。第１のサブアセンブリは活性素を含み、製薬工業に合った条件下で製造され、かつ包装され、他のサブアセンブリは気体発生器を含み、このタイプの装置に合った条件下でまた製造され、かつ包装される。２つのサブアセンブリは、規則で定められかつ技術的な強制が非常に制限される作業領域で互いに結合される。
【００２９】
本発明を、以下で特定の実施態様を示す図によって、より詳細に説明する。
説明を容易にするために、注射器は、底に向かう下流部分を有して垂直であるということにする。
【００３０】
図１は、一部長手部分において、本発明の無針注射器を示す。注射器の下流部分９は、この例では、単一の注入導管３を有する注入器２を含む。注入器２は、治療されるべき対象の皮膚にある。液体活性素１は、デリバリーピストン４によって閉じられた注射器の下流部分９の内側の一部によって形成される貯蔵器中に位置する。デリバリーピストン４はＯ−リングシールを含んで、耐漏えい性を保証する。押し込み手段（この場合、ピストン５）は、本体７１中に位置し、下流部分９にねじ込むことによって固定され、Ｏ−リングシールを有して、耐漏えい性を保証する。該ピストン５は、ピストンと本体７１を通って伸びるピン６によりその場に一時的に保持される。この例では、押し込みピストン５は、デリバリーピストン４より少し小さい直径を有し、押し込みピストンは、正しい機能を保証するために、（例えば先に記載したような）いかなる特定の配置をも必要としない。押し込みピストン５は、デリバリーピストン４から短い距離に置かれる。この距離は、破壊前のピンの最大変形より大きい。ピストン５はこのゆっくりとした変形中、ピストン４と接触せず、したがって低速で放出される液体はない。この距離を制限し、全体の大きさを減らすために、ピストン５は、ピンの直径の約２倍に等しい距離にある。
【００３１】
押し込みピストン５とデリバリーピストン４との間に位置する体積は、少なくとも１つの穴、例えば穴８によって外部と連絡することができ、この穴は、下流部分９および本体７１を通して穴をあけられ、機能中２つのピストン間から空気を抜くために働く。
【００３２】
この例では、ピストン５は、その主な要素をここで記載する花工術の気体発生器７によって移動する。花工術の気体発生器７は、駆動ピストン５の上の本体７１中に、花工術の装入物７２を含み、その燃焼は、ストライカー（ｓｔｒｉｋｅｒ）７４によってたたかれる導火線（ｐｒｉｍｅｒ）８０により開始され、このストライカーは断面図に示されていないが、側面から見える。導火線８０は、導火線ホルダー７３に収容されている。最初の位置では、ストライカー７４は、ストライカーガイド７５中に保持され、ストライカーの溝に部分的に束縛された少なくとも１つのボール、例えばボール７７を介してねじ込むことによって、本体７１と一体化される。打撃装置は、溝７９および内部スプリング７６を有するプッシャー（ｐｕｓｈｅｒ）７８を含む。
【００３３】
プッシャー７８は、ストライカーガイド７５の外側をすべり、側面の溝の中で移動するスタッドによって保持される。このプッシャー７８は、この場合、引金部材である。
もちろん、本発明の範囲から外れることなしに、花工術の装入物７２の燃焼を開始するために、ここに記載した打撃装置以外の開始装置を使用することが可能である。詳しくならず、かつ網羅しようとせずに、例として、電池を有する開始装置または圧電性の開始装置を挙げる。
【００３４】
適当なら、花工術の気体発生器は、速やかに開く弁によって閉じられた圧縮気体貯蔵器により形成された気体発生器で置き換えることができる。注入を行うために一時的保持装置の効果を取り除き、押し込み手段を加速し、移動し得る壁に関して押し込み手段を移動させるために、引金部材は該弁を開き、貯蔵器の圧縮気体は解放され、押し込み手段に作用する。
【００３５】
図１においては、注射器は使用する用意ができており、治療されるべき対象の皮膚にある。作業者は、親指でプッシャー７８を押し、プッシャーは下方へ動き、スプリング７６を圧縮する。プッシャーは、溝７９がストライカー７４の溝のレベルに達するまで移動され、ボール、例えばストライカー７４を保持するボール７７は溝７９へと逃れ、ストライカーを解放し、ストライカーは導火線８０に激しく衝突し、その開始は花工術の装入物７２に点火する。導火線ホルダー７３にあるストライカーは、耐漏えい性を保証し、燃焼の気体はプッシャーの方へ戻って上がることはない。
【００３６】
花工術の装入物の燃焼は、押し込みピストン５へ作用する気体を生じる。このピストンの上の圧力は、得られる力がピン６を取るのに十分となるまで増加する。ピン６が壊れるときに、著しい力を供されるので、押し込みピストン５は非常に速く加速される。押し込みピストン５はデリバリーピストン４をたたき、非常に速くデリバリーピストンを移動させる。液体活性素１は、高速で注入器２の導管３を通って噴射され、それは容易に皮膚を貫通し、後者を通ってより大きいかまたはより小さい深さに広がる。花工術の装入物７２の燃焼の動態およびピン６の較正は、液体噴射の速度を調節することを可能にする。
【００３７】
より詳細な実施態様においては、切断しにくい材料でできたピンは、押し込みピストンの外表面と調和した、２つの弱くした部分を有する。ピンの破壊はより小さい断面積となり、押し込みピストンの機能について効果が少ない。ノッチ（弱くされた断面積の領域に対応する）が、あまり切断しにくくない材料でできた単純なピンを用いたときと同じ圧力で破壊が生じるような寸法にされる。
【００３８】
一時的な壊れやすい保持系については、押し込みピストン、本体７１およびピン６は好ましくは金属、例えば適当な鋼でできている。液体活性素と接触しているデリバリーピストン４は、該活性素と適合性の、金属またはプラスチック材料またはエラストマーでできている。
【００３９】
花工術の装入物は、例えばニトロセルロースに基づく粉末からできていて、この粉末の粒度分析は、適当な動態の燃焼を与えるように選択され、例えば、１２ｍｍ径のピストンに９ ＭＰａの圧力にて１．５ｍｍ径の堅い鋼製のピンの切断を可能にする、ＳＮＰＥカタログに従って１２０ｍｇのＢＴｕ粉末である。
【００４０】
図１はまた、デリバリーピストン４から分離された押し込みピストン５、より一般的には、移動し得る壁から分離された押し込み手段の使用により与えられる利点に関して説明することができる。注射器は、２つのサブアセンブリに分離することができる。第１のサブアセンブリは、液体活性素１を含有し、デリバリーピストン４によって閉じられている注射器の下流部分９を含み、このサブアセンブリは、製薬製造の標準に従って、特に無菌を考慮して、作業領域で組立て、満たすことができ、注入器２の下流面の無菌状態は、適当なストッパーで保護しなければならず、ストッパーはまた、充填後の操作中の液体の損失を避ける。第２のサブアセンブリは、花工術の標準に従って、作業領域での調製および組立てによって得られ、このサブアセンブリは、気体発生器の不注意な機能を引き起こすプッシャーの移動を防ぐことを適当に保証する。別々に製造されたその２つのサブアセンブリを、あまり用心を必要としない環境で、最終的に一緒に結合して、完全な注射器を形成し、次いで、消費者に配布するために包装される。
【００４１】
図２は、本発明の注射器の別の実施態様を示す。それは、先の注射器とは、特に押し込みピストン、一時的保持装置および移動し得る壁の形に関して異なる。
【００４２】
この図は、注入導管２３を有する注入器２２を示す。注入器の内側部分は、実質的に球状のキャップの形を有し、液体活性素１０を含み、薄い変形可能な膜２４が貯蔵器を閉じている。この例では、薄い膜は、注入器２２とガイド片２９との間で締めつけられている。薄い変形可能な膜２４はまた、注入器２２上にはさまれるかまたは、型再複製されている。この変形可能な膜の上に配置されると、押し込みピストン２５は、ガイド片２９と気体発生器の本体との間に締めつけられた壊れやすいフランジ２６によって保持される。押し込みピストン２５は、薄い変形可能な膜２４へ向いたその下流面に、注入器の面と合っている球状キャップの形を有する。押し込みピストン２５の薄い変形可能な膜から分離されている距離は、壊れやすいフランジ２６の厚さの２倍より小さい。この図では、薄い変形可能な膜２４および壊れやすいフランジ２６の厚さは、図面を明らかにする目的のために、誇張されている。
【００４３】
この例においては、押し込みピストンの前面と注入器の内面との形を合わせているのは、球状キャップであるが、より複雑な形も考えられる。
押し込みピストンは、２７の花工術の気体発生器によって移動される。この発生器は前記の例におけるものと同一であり、それを再度詳細に説明しない。
【００４４】
花工術の装入物の燃焼が開始されると、得られる力がフランジを切断するまで、生成された気体が押し込みピストン２５の上流面への圧力を増加し、押し込みピストン２５は、著しい圧力に供されるので、非常に急速に加速される。押し込みピストン２５は変形可能な膜２４をたたき、注入器２２の内面にそれを押しつけ、そうして、先の例におけるように、活性素が高速で注入器２２の導管２３を通って噴射される。
【００４５】
図３は、機能の最後における、上記例の注射器の下流部分を概略的に示す。花工術の装入物は完全に燃え尽きている。ピストンのフランジ２６は周囲付近で切断され、片２９と７１との間に残る。押し込みピストン２５は、変形可能な膜２４を押し、変形させた。
【図面の簡単な説明】
【図１】
図１は、押し込みピストンおよびデリバリーピストンを有する注射器の第１の実施態様の概略的一部外面切断図である。
【図２】
図２は、薄い変形可能な膜を有する第２の実施態様の一部外面切断図である。
【図３】
図３は、使用後の上記の注射器の下流部分の詳細を示す。
【国際公開パンフレット】
2004511259.tif 000003
2004511259.tif 000004
2004511259.tif 000005
2004511259.tif 000006
2004511259.tif 000007
2004511259.tif 000008
2004511259.tif 000009
2004511259.tif 000010
2004511259.tif 000011
2004511259.tif 000012
2004511259.tif 000013
2004511259.tif 000014
2004511259.tif 000015
2004511259.tif 000016
2004511259.tif 000017
2004511259.tif 000018
2004511259.tif 000019
2004511259.tif 000020
2004511259.tif 000021
2004511259.tif 000022
2004511259.tif 000023
【手続補正書】
【提出日】平成13年12月20日(2001.12.20)
【手続補正１】
【補正対象書類名】明細書
【補正対象項目名】特許請求の範囲
【補正方法】変更
【補正の内容】
【特許請求の範囲】
【請求項１】
液体活性素（１，１０）の注入のための気体発生器（７，２７）により駆動される無針注射器であって、該液体活性素は該注射器の下流部分（９，２９）の内側の貯蔵器中に含有され、該貯蔵器は、下流端に少なくとも１つの注入導管（３，２３）を有する注入器（２，２２）と、その反対側の端に移動し得る壁（４，２４）を有し、該移動し得る壁は較正された一時的保持装置を有する押し込み手段（５，２５）から分離されており、該一時的保持装置が壊れやすい装置（６，２６）であることを特徴とする無針注射器。
【請求項２】
押し込み手段（５，２５）の移動し得る壁（４，２４）から分離されている最初の距離が、壊れやすい一時的保持装置（６，２６）の破壊前の最大変形より大きい請求項１記載の無針注射器。
【請求項３】
押し込み手段（５，２５）の移動し得る壁（４，２４）から分離されている最初の距離が、押し込み手段の直径の約１０分の１より小さい請求項１または２記載の無針注射器。
【請求項４】
気体発生器（７，２７）が花工術の気体発生器である請求項１〜３のいずれか１項記載の無針注射器。
【請求項５】
一時的保持装置（６，２６）が、特にピンおよび保護キャップを含む群より選択される請求項１〜４のいずれか１項記載の無針注射器。
【請求項６】
押し込み手段（５，２５）がピストンである請求項１〜３のいずれか１項記載の無針注射器。
【請求項７】
移動し得る壁（４）がデリバリーピストンである請求項１〜６のいずれか１項記載の無針注射器。
【請求項８】
移動し得る壁（２４）が変形可能な膜である請求項１〜６のいずれか１項記載の無針注射器。
【請求項９】
押し込み手段（２５）の下流面および注入器（２２）の内面が合った形を有する請求項８記載の無針注射器。
【手続補正２】
【補正対象書類名】明細書
【補正対象項目名】０００５
【補正方法】変更
【補正の内容】
【０００５】
対比すると、同じ特許または米国特許第３，８０２，４３０号及び米国特許第４，１２４，０２４号に記載されている花工術駆動を有する注射器については、花工術装入物がデリバリーピストンに直接にまたは該ピストン上に置かれるベローズを経由するかのいずれかで作用する。


【手続補正３】
【補正対象書類名】明細書
【補正対象項目名】０００７
【補正方法】変更
【補正の内容】
【０００７】
直接またはカムによって該錠が開かれると、衝撃棒および貯蔵エネルギーが解放され、これが可動の構成要素を移動させ、液体を注入する。系は、注入の終わりに、高エネルギーレベルから低エネルギーレベルへと変化する。使い捨て注射器については、初期状態へ戻ることは不可能である。数回使用される注射器は、スプリングを再圧縮し、液体活性素の貯蔵器を再充填または交換するための補助装置を含む。
同様に特許出願ＷＯ９７／１３５３７号は、移動し得る壁と、ピストンヘッドを有するロッドからなる押し込み手段とを含む無針注射器を記載する。押し込み手段は、ピストンヘッド上の発生器のガス圧から生じる力がピストンの摩擦から生じる力より大きい時始動し、したがって、この力の平衡により実現した一時的保持は移動し得る壁の全く遅い動きに変わる。




【国際調査報告】
2004511259.tif 000024
2004511259.tif 000025
2004511259.tif 000026
2004511259.tif 000027